(57)【特許請求の範囲】
【請求項１】
ゲートウェイ移動交換センタ（ＧＭＳＣ）とホームロケーションレジスタ（ＨＬＲ）とを有する移動無線網（３０２）を含む電気通信網（３０１）において、呼要求が発呼Ａ加入者（Ａ１、Ａ２）から被呼移動Ｂ加入者へ行われるとき前記Ｂ加入者が呼毎に呼セットアップ手順を制御する、前記電気通信網内で加入者サービス（ＮＮ）を実現する方法であって、
前記移動無線網内のサービスノード（３０３）内で前記加入者サービス（ＮＮ）を実現するステップ、
前記呼要求に従って前記Ａ加入者から前記ゲートウェイ移動交換センタ（ＧＭＳＣ）へ第１接続を確立するステップであって、前記サービスノード（３０３）が前記ゲートウェイ移動交換センタに接続される、前記確立するステップ、
前記サービスノード（３０３）内の前記加入者サービスに関連するサービス命令（３０５）を加入者サービス手段（３０６）内で使用可能とするステップ、
前記ホームロケーションレジスタ（ＨＬＲ）から経路指定情報を収集しかつ前記ゲートウェイ移動交換センタ（ＧＭＳＣ）へ前記情報を送出するステップ、
前記ホームロケーションレジスタ（ＨＬＲ）から得られた前記経路指定情報に応じて前記サービスノード（３０３）から前記移動無線網（３０２）を経由して前記Ｂ加入者（ＭＳ１）へ第２接続を確立するステップ、
前記加入者サービス（ＮＮ）を開始させるステップであって、前記Ｂ加入者が該加入者の端末（ＭＳ１）から前記サービスノード（３０３）へ、前記Ａ加入者から前記Ｂ加入者への前記呼要求の連続確立を制御する情報を送る、前記開始させるステップ、及び
前記Ｂ加入者が前記加入者サービス（ＮＮ）を開始させた結果として前記Ａ加入者からの前記呼要求を拒否するステップ
を含む方法。
【請求項２】
ゲートウェイ移動交換センタ（ＧＭＳＣ）とホームロケーションレジスタ（ＨＬＲ）とを有する移動無線網（３０２）を含む電気通信網（３０１）において、発呼Ａ加入者（Ａ１、Ａ２）から被呼移動Ｂ加入者への呼要求の場合、前記Ｂ加入者が呼毎に呼セットアップ手順を制御する、前記電気通信網内で加入者サービス（ＮＮ）を実現する方法であって、
前記移動無線網内のサービスノード（３０３）内で前記加入者サービス（ＮＮ）を実現するステップ、
前記呼要求に従って前記Ａ加入者から前記ゲートウェイ移動交換センタ（ＧＭＳＣ）へ第１接続を確立するステップ、
前記サービスノード（３０３）への前記第１接続を連続させるステップ、
前記サービスノード（３０３）内の前記加入者サービスに関連するサービス命令（３０５）を加入者サービス手段（３０６）内で使用可能とするステップ、
前記サービス命令（３０５）から得られた情報に応じて前記サービスノード（３０３）から前記ゲートウェイ移動交換センタ（ＧＭＳＣ）へ第２接続を確立するステップ、
前記ホームロケーションレジスタ（ＨＬＲ）から経路指定情報を収集しかつ前記ゲートウェイ移動交換センタ（ＧＭＳＣ）へ前記情報を送出するステップ、
前記ホームロケーションレジスタ（ＨＬＲ）から得られた前記経路指定情報に応じて前記移動無線網を経由する前記Ｂ加入者への前記第２接続の確立を連続させるステップ、
前記加入者サービス（ＮＮ）を開始させるステップであって、前記Ｂ加入者が該加入者の端末（ＭＳ１）から前記サービスノード（３０３）へ、前記Ａ加入者から前記Ｂ加入者への前記呼要求の連続確立を制御する情報を送る、前記開始させるステップ、及び
前記Ｂ加入者が前記加入者サービス（ＮＮ）を開始させた結果として前記Ａ加入者からの前記呼要求を拒否するステップ
を含む方法。
【請求項３】
ゲートウェイ移動交換センタ（ＧＭＳＣ）とホームロケーションレジスタ（ＨＬＲ）とを有する移動無線網（３０２）を含む電気通信網（３０１）において、発呼Ａ加入者（Ａ１、Ａ２）から被呼移動Ｂ加入者への呼要求の場合、前記Ｂ加入者が呼毎に呼セットアップ手順を制御する、前記電気通信網内で加入者サービス（ＮＮ）を実現する方法であって、
前記移動無線網内のサービスノード（３０３）内で前記加入者サービス（ＮＮ）を実現するステップ、
前記移動無線網（３０２）内の前記加入者サービス（ＮＮ）の使用者として前記Ｂ加入者を登録するステップ、
前記呼要求に従って前記Ａ加入者から前記ゲートウェイ移動交換センタ（ＧＭＳＣ）へ第１接続を確立するステップ、
前記ホームロケーションレジスタ（ＨＬＲ）から経路指定情報を収集しかつ前記ゲートウェイ移動交換センタ（ＧＭＳＣ）へ前記情報を送るステップ、
前記ホームロケーションレジスタ（ＨＬＲ）から得られた前記経路指定情報に応じて前記サービスノード（３０３）への前記第１接続の確立を連続させるステップ、
前記サービスノード（３０３）内の前記加入者サービスに関連するサービス命令（３０５）を加入者サービス手段（３０６）内で使用可能とするステップ、
前記サービス命令（３０５）から得られた情報に応じて前記サービスノード（３０３）から前記ゲートウェイ移動交換センタ（ＧＭＳＣ）へ第２接続を確立するステップ、
前記ホームロケーションレジスタ（ＨＬＲ）から経路指定情報を収集しかつ前記ゲートウェイ移動交換センタ（ＧＭＳＣ）へ前記情報を送るステップ、
前記ホームロケーションレジスタ（ＨＬＲ）から得られた前記経路指定情報に応じて前記移動無線網を経由しての前記Ｂ加入者への前記第２接続の確立を連続させるステップ、
前記加入者サービス（ＮＮ）を開始させるステップであって、前記Ｂ加入者が該加入者の端末（ＭＳ１）から前記サービスノード（３０３）へ、前記Ａ加入者から前記Ｂ加入者への呼接続の連続確立を制御する情報を送る、前記開始させるステップ、及び
前記Ｂ加入者が前記加入者サービス（ＮＮ）を開始させた結果として前記Ａ加入者からの前記呼要求を拒否するステップ
を含む方法。
【請求項４】
請求の範囲第１項から第３項のうちいずれか１つによる方法であって、
メモリ加入者番号を記憶している前記サービスノード（３０３）内のメモリ（３０４）のメモリ空間を検査するステップであって、前記検査は前記メモリが利用可能な記憶空間を有することを明示する、前記検査するステップ、
前記サービスノード（３０３）から前記Ａ加入者へ前記Ｂ加入者が前記加入者サービス（ＮＮ）を使用することを前記Ａ加入者に報せる応答メッセージを送るステップ、
前記サービスノード（３０３）の前記メモリ（３０４）に前記Ａ加入者の加入者番号を記憶するステップ、及び
前記Ａ加入者から前記サービスノード（３０３）への前記第１接続と前記サービスノードから前記Ｂ加入者への前記第２接続とを解放するステップ
を更に含む方法。
【請求項５】
請求の範囲第１項から第３項のうちいずれか１つによる方法であって、
前記Ａ加入者からの呼要求の前記Ｂ加入者による拒否にかかわらず前記Ａ加入者から前記サービスノード（３０３）への前記第１接続と前記サービスノードから前記Ｂ加入者への前記第２接続とを相互接続するステップ、及び
前記Ａ加入者と前記Ｂ加入者との間に呼接続を確立するステップ
を更に含む方法。
【請求項６】
請求の範囲第１項から第３項のうちいずれか１つによる方法であって、
前記サービスノード（３０３）から前記Ａ加入者へ前記Ｂ加入者が前記呼要求に間もなく応答することを前記Ａ加入者に報せるメッセージを送るステップ、
前記Ｂ加入者からのコールバック信号を待機するステップであって、前記信号が前記Ｂ加入者の端末（ＭＳ１）から前記サービスノードへ送出される、前記待機するステップ、
相互接続信号が前記サービスノードに受信されるとき前記Ａ加入者から前記サービスノード（３０３）への前記第１接続と前記サービスノード（３０３）から前記Ｂ加入者への前記第２接続とを相互接続するステップ、及び
前記Ａ加入者と前記Ｂ加入者との間に呼接続を確立するステップ
を更に含む方法。
【請求項７】
請求の範囲第４項による方法において、前記Ｂ加入者が前記メモリ（３０４）に記憶された前記Ａ加入者の加入者番号を援用して前記Ａ加入者を呼び出すことができる、前記方法であって、
前記Ｂ加入者によって該加入者の端末（ＭＳ１）上でキー入力されたサービスコード（ｓ２１）に応じて前記Ｂ加入者から前記サービスノード（３０３）へ第３接続を確立するステップ、
前記サービスノード（３０３）内で呼び出し機能を開始させるステップであって、前記Ｂ加入者が該加入者の端末（ＭＳ１）から前記サービスノード（３０３）へ情報（ｓ２３）を送出する、前記開始させるステップ、
前記サービスノード（３０３）に情報（ｓ２３）を受信するステップであって、前記制御装置（ＳＣＰ）が前記サービス命令（３０５）内の制御情報に応答して前記メモリ（３０４）から前記記憶されたＡ番号を収集し、かつ前記交換装置（ＳＳＰ）に、前記Ａ番号を前記Ｂ加入者に該加入者の端末（ＭＳ１）上で表示するように命令する、前記受信するステップ、
前記Ｂ加入者から前記サービスノードへ呼セットアップ情報（ｓ２５）を送出するステップ、
前記サービスノードに呼セットアップ情報（ｓ２５）を受信するステップであって、前記制御装置が前記交換装置に前記呼を前記Ａ番号に接続するように命令する、前記受信するステップ、
前記サービスノード（３０３）から、前記記憶されたＡ番号を有する前記加入者への前記第３接続の確立を連続させるステップ、及び
前記Ｂ加入者と前記記憶されたＡ番号を有する前記加入者との間に呼接続を確立するステップ
を更に含む方法。
【請求項８】
請求の範囲１項から７項のうちいずれか１つによる方法により前記加入者サービスを活性化及び不活性化する方法であって、
前記Ｂ加入者が該加入者の端末（ＭＳ１）上でサービスコード（ｓ２１）をキーニュするとき前記Ｂ加入者から前記サービスノード（３０３）へ第３接続を確立するステップ、
前記サービスノード（３０３）内で活性化機能を開始させるステップであって、前記Ｂ加入者が該加入者の端末（ＭＳ１）から前記サービスノード（３０３）へ情報（ｓ２３）を送る、前記開始させるステップ、
前記サービスノード（３０３）内の前記情報（ｓ２３）を受信し、かつその後前記サービスが活性である又は不活性であることを前記Ｂ加入者に報せかつ前記サービスの状態を変化させるかどうかについての情報をキー入力するように前記Ｂ加入者に要請するメッセージを前記Ｂ加入者へ送るステップ、及び
前記サービスの現行状態を変化させるか否かについての前記サービスノード（３０３）からの前記メッセージに応じて情報をキー入力するステップ
を含む方法。
【請求項９】
請求の範囲第１項から第８項のうちいずれか１つによる方法であって、
前記サービスノード（３０３）内で実現される加入者サービスの使用者として前記ホームロケーションレジスタ（ＨＬＲ）に前記Ｂ加入者を登録し、かつまた前記加入者サービス（ＮＮ）の使用者として前記サービスノードに前記加入者を登録するステップ、及び
前記加入者サービスを活性化するステップであって、前記Ｂ加入者が該加入者の端末（ＭＳ１）から前記Ｂ加入者への呼要求の場合に前記加入者サービスを使用することを可能とする情報を送る、前記活性化するステップ
を含む方法。
【請求項１０】
請求の範囲第１項による方法において、前記サービスノード（３０３）が前記ゲートウェイ移動交換センタ（ＧＭＳＣ）内に実現される、方法。
【請求項１１】
請求の範囲第１項による方法において、前記サービスノード（３０３）が前記移動交換センタ（ＭＳＣ１、ＭＳＣ２）内に実現される、方法。
【請求項１２】
請求の範囲第１項による方法において、前記サービスノード（３０３）が前記ホームロケーションレジスタ（ＨＬＲ）内に実現される、方法。
【請求項１３】
請求の範囲１項から１２項のうちいずれか１つによる方法を実現することができる電気通信システム（３０１）であって、加入者サービス手段（３０６）を有する移動無線網（３０２）を含み、被呼移動Ｂ加入者が発呼Ａ加入者からの呼要求を制御する手段を有し、前記移動無線網（３０２）が
制御装置（ＳＣＰ）と、交換装置（ＳＳＰ）と、前記加入者サービス手段（３０６）とを含むサービスノード（３０３）であって、前記加入者サービス手段（３０６）が前記呼要求の取り扱いに対する制御命令を記憶するサービス命令手段（３０５）を含む、前記サービスノード（３０３）、
前記サービスノード（３０３）内の加入者サービスの使用者として前記Ｂ加入者が登録されるホームロケーションレジスタ（ＨＬＲ）、及び
前記Ａ加入者から前記Ｂ加入者への呼要求の場合に前記Ａ加入者から前記サービスノード（３０３）への第１接続と、前記サービスノードから前記Ｂ加入者への第２接続とを確立する手段を含むゲートウェイ移動交換センタ（ＧＭＳＣ）であって、前記Ｂ加入者が前記呼要求を受信するとき前記呼要求制御手段が前記Ｂ加入者からの開始に応じて前記Ａ加入者から前記Ｂ加入者への前記呼要求を拒否するように機能する、前記ゲートウェイ移動交換センタ（ＧＭＳＣ）
を含む、電気通信システム。
【請求項１４】
請求の範囲第１３項による電気通信システムにおいて、前記呼要求制御手段が前記加入者サービス手段（３０６）内のメモリ（３０４）に前記Ａ加入者の加入者番号を記憶しかつ前記Ｂ加入者が前記呼要求を拒否するとき前記第１接続と前記第２接続とを解放するように機能する、電気通信システム。
【発明の詳細な説明】
技術分野
本発明は、移動無線網を含む電気通信網内で実現される加入者サービスに関する。特に、本発明は移動加入者サービス、被呼Ｂ加入者に関し、この発明ではＢ加入者は発呼Ａ加入者からの呼要求を受信するとセットアップ手順を制御することができ、及び本発明はこの加入者サービスがその中で実現される電気通信網に関する。
背景技術
ＥＰ−Ａ１−０  ３５５  ７７７は、電気通信装置、すなわち、電話機又はファクシミリ装置を記載しており、この装置は発呼者を判別するための判別情報を受信する受信装置、発呼者に応答しないときに受信装置が受信した情報を記憶するメモリ、及びこのメモリに記憶された情報を眼に視えるように表示するディスプレイ装置を含む。発呼者によって発せられた呼に応答がないとき、通信装置は、発呼者の電話番号をメモリに記憶するように決定しかつ被呼者のディスプレイ上にメッセージを表示する。このメッセージは、ディスプレイ装置上に文の形で表示され、これで以て被呼者の留守中に当人に連絡する企図があったことを被呼者に報せる。次いで、被呼者は、ディスプレイ装置上に記憶された電話番号を控え、かつ望むならば、当人の留守中に当人に連絡しようと企図した人達に電話するためにこれらの電話番号を使用することができる。
この通信装置が持つ１つの欠点は、発呼者が接続をセットアップしようと企図するとき、被呼者が自身で事態の成り行きを制御することができないことである。更に、被呼者が留守であって、呼を受信できないために接続を使用することができないと云う事実にもかかわらず、完全接続が発呼者と被呼者との間にセットアップされる。他の欠点は、現存の電話機及びファクシミリ装置は、ＥＰ  ０  ３５５  ７７７の公報に記載された機能を利用できるためには、前記特許の要件を満たす通信装置で置換されねばならないことである。他の欠点は、通信装置は、被呼者が通信装置のそばに実際に居ない状況のみに対応しているという点である。しかし、多くの場合、被呼者が電話のそばに居るにもかかわらず、自ら呼に応答することができないという場合が考えられる。
日本国特許出願明細書２−２１９８３４は、被呼移動体が呼に応答する前に発呼者を待機させることのできる移動通信システムにおける機能を記載している。被呼移動体の使用者は、発呼者へその呼に間もなく応答することを報せる信号を送り、かつ当人の電話番号をそのままにしておくように要請される。その電話番号は移動電話交換センタに記憶され、その後、発呼者は解放される。次いで、発呼者は、移動体からの応答信号を待機し、その後、移動体は記憶された番号に基づき発呼者を呼び出す。
この機能の１つの欠点は、発呼者が当人の電話番号を自分自身でキー入力しなければならず、誤った番号をキー入力すると云うその後の危険を伴う。他の欠点は、１つの着信呼を取り扱うことを単に意図していることである。例えば、もし移動体が話中のときにこの機能が使用されるならば、移動体を呼び出そうと企図する第三者は成功しないことになる。移動体の使用者にとって、自身で呼を発する前に、発呼者からの呼に自身で応答することが必要である。
新規なかつ改善されたネットワークアーキテクチャが、「エリクソンレビュー」、３号、１９９４年（“Ericsson Review",No.3,1994）に発表された論文「日本ディジタルセルラ標準規格−ＰＤＣにおけるインテリジェントネットワークアーキテクチャ（Intelligent Network-Architecture in the Japanese Digital Cellular Standard-PDC）」に記載されている。この論文は、また、将来利用可能であろう新規な型式のサービスにも言及している。この論文に言及されたようなサービスの１例は、被呼加入者、移動Ｂ加入者に個別に予め定められた判定基準に従って呼を受信するか又は呼を転送するかどちらかを選択可能とする着信呼選択（Incoming Call Selection）である。例えば、Ｂ加入者は、通過させる呼を予め定義したり、及び通過させない呼をいかに取り扱うか予め定義したりすることができる。次いで、サービスは、Ｂ加入者によって予め定義された時間間隔中、各着信呼要求毎に自動的に使用される。
本発明の要約
本発明は、移動体、以下、被呼Ｂ加入者に、電気通信網内加入者サービスを援用して、発呼Ａ加入者から被呼加入者への呼要求に応じていかに呼セットアップを制御できるようにするかの問題を解決することを意図している。Ｂ加入者にとっては、加入者サービスの観点から各新着信呼要求に際して、呼には呼（call for call）と云うように、呼交換手順の制御が出来なければならない。
本発明の目的は、移動Ｂ加入者に、このＢ加入者がＡ加入者から着信する呼要求を受付けるのを拒否することができる加入者サービスを提供することにある。
本発明の更に目的は、容易に開始されかつ使用することのできる加入者サービスを提供することにある。
本発明によれば、拒否された呼の結果は、Ａ番号、すなわち、Ａ加入者の加入者番号を電気通信網内に記憶すること、次いで、Ａ加入者とＢ加入者の接続を解放することであってよい。しかしながら、Ａ加入者を解放する前に、Ｂ加入者が間もなくＡ加入者にコールバックすることをＡ加入者に報せるメッセージが送られる。次いで、記憶されたＡ番号をＢ加入者は発呼順序の中で使用することができ、この順序の中でＢ加入者は記憶されたＡ番号を援用して拒否したＡ加入者を呼び出すことができる。
代替的に、拒否された呼要求の結果、Ａ加入者が、Ｂ加入者によって早期に定義された他の加入者番号へ経路指定されることがある。
他の代替では、呼接続手順を短い時間間隔にわたって遅延させ、その場合Ｂ加入者は呼を受信するように自身を準備する可能性を与えられる。
更に他の代替は、Ｂ加入者が呼要求を拒否することを選択するのにかかわらずＡ加入者がＢ加入者に接続されること、又は呼接続を確立しようとするＡ加入者による企図が不成功に終わることである。
本発明の他の目的は、Ｂ加入者に、記憶することのできるＡ番号の全番号を自身で変更することを可能とし、かつＡ加入者をそれへ再経路指定することができる加入者番号を変化させること、かつまた加入者サービスを活性化及び不活性化可能とすることにある。
上述の目的は、移動無線網をまた含む電気通信網内で達成される。移動無線網は、例えば、ディジタルＧＳＭ網のようなセルラ移動無線網であってよい。もっとも、移動無線網は、また、工場構内又は事務所構内移動通信を使用する会社用コードレス移動無線網のような、或る他の型式の無線網であってもよい。移動無線網は、加入者サービスを取り扱うことができる特別サービスノードを含む。Ａ加入者がＢ加入者に接続されるであろうとき、呼要求がサービスノードを経由して経路指定され、その場合Ｂ加入者が加入者サービスへのアクセスを与えられかつＡ加入者を拒否することによって呼セットアップ手順を制御できる。それゆえ、Ｂ加入者は、所望の結果を得るために加入者サービスを使用するとき、電気通信網（サービスノード）と対話する。
それゆえ、加入者サービスは、被呼Ｂ加入者が発呼Ａ加入者から呼要求を受信するとき、呼セットアッププロセスを制御するために呼から呼（call by call）とたどることができる手順をＢ加入者に提供する。この方法、すなわち、このプロセスを利用できるためには、Ｂ加入者にとってサービスノード内での加入者サービスの使用者として登録されることが必要である。このような登録は、Ｂ加入者が関連した電話オペレータと加入契約（subscription）を行う（take out）ことによって達成することができる。登録は、なかでも、移動無線網の部分を形成する云わゆるホームロケーションレジスタ内で行われる。それゆえ、経路指定に対する要求がホームロケーションレジスタに送られると、この呼要求は情報で以て応答され、その結果この呼要求がサービスノードへ経路指定される。Ｂ加入者に関連する様々なデータ、例えば、Ｂ加入者に利用可能なサービスに関する情報が、サービスノードに登録されている。
本発明によれば、加入者サービスは、これを使用するためにこれを活性化しなければならないように構成されることがある。この場合、Ｂ加入者は、その移動体からサービスノードへサービス活性化情報を送ることによってサービスを活性化する。サービスノードに活性化情報を受信すると、いかなる時刻であろうとＢ加入者がサービスを開始させかつ呼セットアップ手順を制御することが可能とされる。
本発明の方法は、Ａ加入者がＢ加入者へ呼要求を発生したときＡ加入者からゲートウェイ移動交換センタへの第１接続をセットアップすることを含む。Ａ加入者によってダイヤルされたＢ番号、すなわち、Ｂ加入者の加入者番号がゲートウェイ移動交換センタに受信され、その場合その手順中の次のステップは移動無線網内の何処にＢ加入者がいるかを報せるホームロケーションレジスタからの経路指定情報を収集することである。Ｂ加入者はサービスノード内の加入者サービスの使用者としてホームロケーションレジスタ内に登録されているので、経路指定情報はゲートウェイ移動交換センタからサービスノードへの第１接続の連続確立を生じることになる。もしＢ加入者が上述した方法でサービスを活性化したならば、加入者サービス手段内に加入者サービスを実施する命令が存在し、これによってサービスを使用のために利用可能にする。Ｂ加入者サービスを位置検出するために経路指定情報が再びホームロケーションレジスタから収集され、その場合第２接続がサービスノードから移動無線網を経由してＢ加入者へ確立される。Ｂ加入者が「受話器を持ち上げる」、すなわち、移動電話機上のボタンを押すことによって呼要求に肯定応答するとき、Ｂ加入者はサービスを開始させることができる或る長さの時間を持ち合わせる。加入者サービスはＢ加入者が情報を移動体からサービスノードへ送る瞬間から開始され、その場合Ｂ加入者はキー入力した情報に従って呼要求の連続交換を制御することができる。好適には、サービスは、Ｂ加入者がその移動電話機上のボタンの１つ（どれか）を押すことによって開始される。これが、Ｂ加入者に非常に敏速かつ容易に加入者サービスを開始させる。
本発明によって提供される利点は、Ｂ加入者が自身で呼交換手順を制御する能力にある。Ｂ加入者は、呼が受信されると同時にその呼要求を受け付けるか否かを決定できる。Ｂ加入者はその電話機を常にスイッチオンしておいてよく、かつ加入者サービスはＢ加入者が着信呼に応答できない状況においても利用することができる。Ｂ加入者は、呼交換手順を呼毎に制御できる、すなわち、Ｂ加入者は各新着信呼要求の接続を制御できる。拒否されたＡ加入者のＡ番号を記憶することができ、その場合Ｂ加入者は、もし望むならば、後の機会に、記憶されたＡ番号を使用しかつ加入者サービスを援用してＡ加入者の呼び出しを命令できる。代替的に、呼交換順序を少しの間停止させることができ、それであるからＢ加入者は呼を受信するように自身を準備する時間を持ち合わせる。他の利点は、発明のサービスが電気通信網内で実現され、その場合移動体電話機使用者は当人達の古い移動電話機を置換することを要せずこのサービスへのアクセスを得る。加入者サービスを敏速にかつ簡単に開始させることができるので、重なる利点が提供され、それによってＢ加入者はもしも電話機が不適当な時間に鳴るならば呼び出し音を直接中断させることができ、及び後の呼び出しまで「呼を節約」できる。なお他の利点は、本発明を応用するとき呼企図の成功数が増大すること、すなわち、Ｂ加入者が自身でＡ加入者からの呼要求に応答できない事実にかかわらず、発呼しようとする企図が活性手順を生じ、その場合電話オペレータは呼要求がＢ加入者によって応答されなかった事実にかかわらずＡ加入者に課金できることである。
本発明を、その例示実施例を参照してかつ添付図面を参照して詳細に説明する。
【図面の簡単な説明】
第１図は、Ａ加入者からＢ加入者へ着信する呼要求の際の加入者サービスを示す流れ図である。
第２図は、部分的に、Ｂ加入者からＢ加入者によって早期に拒否されたＡ加入者への出中継呼に関しかつメモリに記憶することができるＡ番号の総数を設定しかつＡ加入者をそれへ経路指定することができる番号を挿入することに関し、及び部分的に、加入者サービスの活性化及び不活性化に関する加入者サービスを示す流れ図である。
第３図は、加入者サービスが実現される電気通信網を示し、かつまたＡ加入者からＢ加入者への呼要求の取り扱いを示すブロック回路図である。
第４図は、第３図の電気通信網を示し、かつまたＢ加入者によって早期に拒否されたＡ加入者がコールバックされるときの手順を示す回路ブロック図である。
第５図は、Ａ加入者からＢ加入者への呼要求がＢ加入者によって拒否されるときにたどる信号手順を示す信号線図である。
現在好適な実施例の説明
それゆえ、本発明は移動Ｂ加入者用加入者サービスに関し、その場合Ａ加入者からの呼要求に応じる呼交換手順又は呼セットアップ手順を加入者サービスを援用して制御することができる。
第１図は、Ａ加入者からＢ加入者へ着信する呼要求に応じて加入者サービスを援用して実施することができる手順を示す流れ図である。Ａ加入者がＢ加入者に電話するとき、ステップ１０１でＢ加入者がサービスを活性化したか否かについての検査が行われる。もしこのサービスが活性化されていないならば、このサービスを使用することはできず、この場合、ステップ１０６で呼要求は従来の方法で接続される。もしサービスが活性化されているならば、ステップ１０２でＡ番号が転送されているか否か、すなわち、Ａ番号が呼要求に含まれているか否かを確かめる検査が行われる。もしもＢ加入者が次の説明に従って呼を拒否することを選択するならば、Ｂ加入者がＡ番号を記憶できるようにするためにこの番号を転送しなければならない。もしＡ番号がまだ転送されていないならば、ステップ１０３でＢ加入者はこの旨に関して報される、例えば、Ｂ加入者が呼に応答するために受話器を持ち上げると所与の信号確認音が再生されることになる。もしＡ番号が転送されているならば、ステップ１０４でＢ加入者はこの旨に関して、例えば、Ｂ加入者が呼に応答するために受話器を持ち上げると識別音が再生されることによって報される。Ｂ加入者は、また、Ａ番号が転送されているか否かについて光学的に、例えば、文字ディスプレイ内の記号を援用して、報されることもできる。次いで、ステップ１０５でＢ加入者がサービスを開始させたか否かについての検査が或る時間間隔にわたって、例えば、Ｂ加入者がその受話器を持ち上げる時刻から３秒にわたって行われる。もしＢ加入者がまだサービスを開始させていないならば、Ａ加入者からの呼要求が従来のように取り扱われることになり、その場合、ステップ１０６で呼接続がＡ加入者とＢ加入者との間でセットアップされる。もしＢ加入者がステップ１０５でサービスを開始させるならば、これがＢ加入者に呼要求の連続取り扱いを制御可能とする。この制御はＢ加入者によって呼要求を拒否することからなり、その場合いくつもの異なる手順を呼を拒否するために使用することができる。
呼要求を拒否する１つの方法は、Ａ番号を記憶し、その上でその呼を終端させることである。次いで、Ｂ加入者は、Ｂ加入者に都合の良い時間に、記憶された番号を援用して、Ａ加入者を呼び出すことができる。Ａ番号を記憶できるためには、この番号をその呼要求と共に転送することが必要である。それゆえ、ステップ１０７でサービスの開始がＡ番号を記憶させることを意味するかどうかについての検査が行われる。もし答が肯定ならば、１０８でメモリがＡ番号を記憶するのに充分な空間を持っているか否か及びＡ番号が転送されているか否かについての検査が行われる。限定されないメモリ空間は加入者サービスの取り扱いを余りに困難にするので、メモリ空間は限定されている。例えば、メモリは、多くとも３２呼を記憶するように設計される。このような大容量のメモリは実用上ほとんど必要ない。これは、Ｂ加入者が好適には自身に機会が与えられると可能な限り敏速にＡ加入者を呼び出し、その後、Ａ番号をメモリから消去することができるからである。もし充分な空間がメモリ内にあるならば、又はもしＡ番号がまだ転送されていないならば、以下に説明するように、呼要求を拒否する他の方法の１つを使用しなければならない。もし充分なメモリ空間が利用可能であるならばかつもしＡ番号が転送されているならば、ステップ１０９でＡ加入者はＢ加入者がＡ加入者の呼要求を拒否したこと及びＢ加入者が後でＡ加入者を呼び出すことを報される。このメッセージを、音声応答機械によって送出することができる。次いで、ステップ１１０でＡ番号がメモリに記憶される。次いで、ステップ１１１でＡ番号がＢ加入者から解放される。
呼要求を拒否する他の方法は、Ｂ加入者がこの要求をＢ加入者によって早期に定義された加入者番号へ指向させることである。もし応答がステップ１０７（「Ａ番号を記憶させようか？」）で否定ならば、ステップ１１２で呼要求を再経路指定するか否かを確かめる検査が行われる。もし呼を再経路指定するべきであるならば、ステップ１１３でＡ加入者はこの旨に関して報され、その後、ステップ１１４でＢ加入者によって定義された番号への呼接続が確立される。
呼要求を拒否する他の方法は、要求の取り扱いを一時的に遅延させることである。この遅延は、Ｂ加入者が呼を受信するために自身を準備する短い時間間隔を必要とするときＢ加入者によって利用することができる。もしステップ１１２（「再経路指定？」）での応答が否定ならば、ステップ１１５で呼要求の処理を遅延させることができるか否かを確かめる検査が行われる。もし呼を遅延させることができるならば、ステップ１１６でＡ加入者は、Ｂ加入者が間もなく呼に応答することを報される。ステップ１１７で呼要求の処理を再開することができることを表示する信号が待機される。この信号は、所与の長さの時間が経過した後に発生することができるか又はＢ加入者が呼を受信する準備ができているときにＢ加入者によって発生することができるかのどちらかである。Ｂ加入者によって発生されたこの信号に応じて、ステップ１１８で呼接続が従来の方法で確立される。前記時間間隔が経過した後この信号がそのシステムによって自動的に発生されるとき、呼要求の連続取り扱いを説明された代替の１つ、例えば、Ａ番号を記憶することができる代替に従って実施することができる。もしステップ１１５（「接続を遅延させたいか？」）での答が否であるならば、ステップ１１９で、その時間内にＢ加入者に連絡することができないことをＡ加入者に報せることができ、その後ステップ１２０でその呼が取り止められかつ確立された接続が解放される。
上述したように、もし利用可能なメモリ空間の欠如に因り、又はＡ番号が転送されていないゆえに、すなわち、ステップ１０８での問題の１つに対する応答が否定であるゆえに、Ａ番号を記憶することができないならば、呼要求を或る他の方法で拒否しなければならない。この場合、代わりに、呼要求をステップ１１２〜１１４に従って再経路指定することができ、呼要求の取り扱いをステップ１１５〜１１８に従って遅延させることができ、又は呼要求をステップ１１９〜１２０、すなわち、ステップ１０８ａにおける二者択一のＹに従って取り止めることができる。ステップ１０８ａにおける他の二者択一のＮに従う更に可能性は、メモリ空間が利用可能でないとき又はＡ番号がまだ転送されていないときステップ１２１でＡ加入者をＢ加入者に接続することである。これらの代替のどれを使用するかは、自動音声応答機械からの質問に応じて制御情報をキー入力するとき、例えば、サービスが活性化されているときＢ加入者によって、又はＢ加入者が加入者サービスの使用者として登録するときＢ加入者によってのどちらかで決定することができる。
上述において、Ａ加入者からＢ加入者への呼要求の場合にサービスによって提供される可能な事項が第１図を参照して説明された。
第２図は、早期に呼び出されたＢ加入者が早期に拒否したＡ加入者を、その拒否した際にＡ加入者の番号が記憶された場合に、呼び出すためにいかにサービスを使用することができるかを示す流れ図である。注意しておきたいのは、たとえ加入者がその拒否したＡ加入者を呼び出すのにサービスを使用しても、以下ではサービスを使用するその加入者をまた「Ｂ加入者」と呼ぶことである。発呼機能に加えて、第２図はまた、メモリに記憶することができるＡ番号の総数かつまたＡ加入者をそれへ再経路指定することができる加入者番号を設定することをＢ加入者に可能とする設定機能、及びまたサービスの状態を変化させること、すなわち、不活性化されたサービスを活性化すること及びこれの逆を行うことをＢ加入者に可能とする活性化機能を示す。
Ｂ加入者は、サービスコードをキー入力することによって、ステップ２０１でサービスを開始させる。ステップ２０２で、音声応答機械がＢ加入者に当人が発呼機能、設定機能又は活性化機能を使用するつもりかどうか質問する。ステップ２０３で、これらの質問に対するＢ加入者の応答が検査されかつもし応答が「呼び出す」ならば、ステップ２０４で、番号がメモリに記憶されているかどうか確かめる検査が行われる。もしＡ番号がメモリに記憶されていないならば、ステップ２０５で、Ｂ加入者はこの旨に関して報され、その後サービスが終端される。もし１つ以上のＡ番号がメモリに記憶されていると判るならば、リストされた順に従って一度に１つの番号がＢ加入者に表示される。それゆえ、ステップ２０６で最初の番号がＢ加入者に表示され、かつステップ２０７でＢ加入者は当人が表示された番号との呼接続を確立したいか否か、又はその番号をメモリから消去させるかどうか、又はサービスを終端させるかどうか質問される。もしＢ加入者の応答が呼接続をセットアップするのであれば、ステップ２０８でＡ加入者への接続が確立される。次いで、サービスは、Ａ加入者への呼の終端の際に終端される。もしステップ２０７でＢ加入者の応答が否定であるならば、ステップ２０９でＢ加入者は表示された番号をメモリから消去させるかどうか質問される。もしＢ加入者の応答が肯定であるならば、ステップ２１０でＡ番号が消去される。もし番号を消去させるべきでなければ、代わってこれをメモリ３０４に番号の順の最後に記憶する。次いで、取り扱い順序がステップ２１１へ続き、ここでＢ加入者がリスト内の次の番号を表示させるか否かが質問される。もしＢ加入者がこの質問に肯定応答するならば、ステップ２０４へ復帰し、それによってリストされた順の次の番号がＢ加入者に表示される。１好適実施例によれば、サービスが終端される前にＢ加入者は記憶された番号を２回表示されることができ、その場合第１回表示の際、Ｂ加入者は記憶されている番号を検査するだけでよく、次いで第２回表示の際に当人が最初に呼び出したい番号を選択する。もしＢ加入者がもっと番号を表示してもらいたいならばステップ２１１の後にサービスが終端される。
ステップ２０３（「呼び出すか？」）での応答が否定ならば、Ｂ加入者は、ステップ２１２で当人が或るパラメータ値のセットアップを変化させたいか否か質問される。もしその応答が肯定ならば、ステップ２１３でメモリに記憶することができるＡ番号の総数をＢ加入者が変化させたいか否かについての検査が行われる。ステップ２１３での質問に対するＢ加入者の応答が肯定ならば、当人は、ステップ２１４で記憶することができる呼の新総数をキー入力するように要請される。ステップ２１５でメッセージを残すことができ、その場合Ｂ加入者は行われた変化について報される。ステップ２１６で、Ｂ加入者は、当人が再経路指定番号を変化させたいか、すなわち、Ｂ加入者が呼要求を拒否するときＡ加入者をそれへ再指向させる番号を変化させたいか否かを質問される。この再経路指定は、上述の方法で実施される。もしステップ２１６での質問に対する応答が肯定ならば、ステップ２１７でＢ加入者は新経路指定番号をキー入力するように要請される。ステップ２１８でメッセージを残すことができ、その場合Ｂ加入者は変化が行われたことを報され、その後サービスが終端される。ステップ２１６で応答が否定のとき、サービスは直ちに終端される。
もしステップ２１２（「セットアップを変化させるか？」）で否定応答が行われるならば、ステップ２１９でＢ加入者はサービスの状態、すなわち、サービスが活性化されているか又は不活性化されているかについて報され、その後Ｂ加入者はサービスの状態を変化させるかどうか質問される。その応答がステップ２２０で検査され、かつもしこの応答が肯定ならば、その状態が早期にそれぞれ不活性又は活性であったかどうかに依存して、ステップ２２１でその状態が活性状態又は不活性状態へ変化させられ、その後サービスが終端される。応答が否定のとき、サービスはステップ２２０の後、直ちに終端される。
第３図は、Ａ加入者からＢ加入者への呼要求の場合にいかに本発明による加入者サービスが電気通信網内で実現されるかを示す。第３図は、また、呼要求をセットアップするとき起こる信号（signal）ｓ１〜ｓ９を示す。信号(signalling)がまた、第５図に別個に示されている。電気通信回路網３０１は、固定公衆加入電話網ＰＳＴＮ及びセルラ移動無線網３０２を含む。移動無線網は１つ（又は２つ以上の）ゲートウェイ移動交換センタＧＭＳＣを含み、呼を移動Ｂ加入者に関連させるときこの交換センタへ呼要求が指向させられる。ゲートウェイ移動交換センタＧＭＳＣはホームローケションレジスタＨＬＲに接続され、このレジスタに移動加入者に関する情報が記憶される。なかでも、この情報は、以下に更に詳細に説明されるように、Ｂ加入者に利用可能である加入者サービスを含む。ゲートウェイ移動交換センタＧＭＳＣはまた複数の移動サービス交換センタＭＳＣ１、ＭＳＣ２に接続され、これらの交換センタは、立ち代わって、基地局ＢＳ１、ＢＳ２に接続される。移動体ＭＳ１及びＭＳ２への無線接続は、基地局ＢＳ１又は基地局ＢＳ２とそれぞれの移動体ＭＳ１又はＭＳ２との間に確立される。移動無線網は、また、当業者に周知であるように、それぞれの移動交換センタＭＳＣ１、ＭＳＣ２に属するビジタロケーションレジスタＶＬＲ１、ＶＬＲ２及び基地局コントローラＢＳＣ１、ＢＳＣ２を含む。本発明によれば、移動無線網は、また、サービスノード３０３を含む。移動Ｂ加入者へ着信する呼要求の場合、Ｂ加入者がサービスノード内の加入者サービスの使用者であるとき、サービスノードはゲートウェイ移動交換センタＧＭＳＣに接続される。サービスノードは、サービス交換装置ＳＳＰ、制御装置ＳＣＰ、及び異なる加入者サービス用のハードウェア及びソフトウェアを含む。第１図及び第２図を参照して説明された、かつＮＮで指示されたサービスは、１つのこのようなサービスの例である。第３図において、サービスＮＮ用のハードウェア及びソフトウェアは、加入者サービス手段３０６内で実現される。サービスＮＮ用のハードウェアはメモリ３０４を含み、以下に説明されるようにＢ加入者がＡ番号を記憶することによって呼要求を拒否することを選択するとき、このメモリにＡ番号が記憶される。サービスＮＮ用のソフトウェアはサービス命令３０５を含み、この命令はサービスＮＮを使用するとき制御装置ＳＣＰによって実行される。
サービスＮＮを使用するためには、Ｂ加入者が特定のサービスノード３０３内にあるサービスの使用者としてホームロケーションレジスタＨＬＲに登録することが必要である。この登録は、例えば、Ｂ加入者がシステムオペレータとの加入契約に署名するとき、又はＢ加入者がサービスＮＮを使用するための特別加入契約に署名する後の機会に実施されることがある。サービスＮＮが活性化機能を含むとき、Ｂ加入者にとって、前記サービスを使用できるためにはこのサービスを活性化することがまた必要である。それゆえ、このサービスの活性化又は不活性化は、以下に更に詳細に説明されるように、前記活性化機能を援用して実施される。代替的に、サービスは、このサービスが絶えず活性化されかつそれゆえ常に使用の準備ができているように実現される。Ａ加入者からＢ加入者への呼要求の以下の例では、Ｂ加入者がサービスノード内でサービスへのアクセスを有する使用者としてホームロケーションレジスタＨＬＲに登録されていると、及びＢ加入者がサービスＮＮを活性化したと仮定される。
Ａ加入者Ａ１が移動体ＭＳ１の番号（Ｂ加入者番号）をダイヤルすることによって呼要求のセットアップが開始され、その場合第１接続がＡ加入者から、固定網ＰＳＴＮを経由して、移動無線網内のゲートウェイ移動交換センタＧＭＳＣへセットアップされる。ゲートウェイ移動交換センタは、Ｂ番号を受信し、分析し、かつ信号ｓ１を前記レジスタへ送ることによって、ホームロケーションレジスタＨＬＲからの情報を経路指定するように要請する。前述したように、Ｂ加入者はサービスノード３０３内の利用可能なサービスの使用者としてホームロケーションレジスタに記録されており、これはＢ加入者への（かつこれからの）呼をそのサービスノードを経由してセットアップさせることを意味する。したがって、ホームロケーションレジスタＨＬＲは情報、すなわち、信号ｓ２で以て応答し、その結果、連続接続、すなわち、ゲートウェイ移動交換センタＧＭＳＣからサービスノード３０３への第１接続の信号ｓ３を生じる。サービスノード内の交換装置ＳＳＰは、信号ｓ３を受信しかつこの旨を制御装置ＳＣＰに報せる。これに応じて、制御装置が交換装置に命令してＢ加入者によって活性化されたサービスを使用可能とする。それゆえ、Ｂ加入者がサービスを使用することを選択するとき、本発明による活性化されたサービスに対するサービス命令３０５及びメモリ３０４が開始に当たって使用可能とされる。次いで、制御装置が、第１接続からは分離されている、サービスノードからゲートウェイ移動交換センタＧＭＳＣへの第２接続をセットアップするようにこの交換センタへ命令する。次いで、交換装置が信号ｓ４をゲートウェイ移動交換センタへ送るように命令され、その場合前記センタＧＭＳＣは、信号ｓ５をホームロケーションレジスタＨＬＲへ送ることによって、ホームロケーションレジスタからの経路指定情報を収集するように再び命令される。そこで、ホームロケーションレジスタは、移動無線網内の何処にＢ加入者が位置検出されているかを開示する云わゆる経路指定番号ＤＮＲ（移動局ローミング番号−ＮＳＲＮ）を含む情報、信号ｓ６で以て応答する。この情報は、Ｂ加入者が移動無線網によってカバーされる領域内を運動するに連れて更新され、かつ関連するビジタロケーションレジスタＶＬＲから得られる。信号ｓ６内の経路指定情報を援用して、サービスノード３０３とゲートウェイ移動交換センタＧＭＳＣとの間の前記第２接続のセットアップが、移動サービス交換センタＭＳＣ１、経路指定番号ＤＮＲに従ってＢ加入者へ連絡するのに使用される基地局コントローラＢＳＣ１及び基地局ＢＳ１を経由してＢ加入者ＭＳ１へ連続させられる。第２接続のこの連続確立に当たって起こる信号（signalling）は既知の技術に従って実施され、したがって、この関係から更に詳細に説明しないことにする。読者は、この信号手順の更に詳細な説明については、エリクソンの「ＣＭＥ２０システム調査」、第７章、２５ページ（Ericsson's“CME20 System Survey",Chapter 7,page25）を参照されたい。次いで、リング信号がＢ加入者へ送られる。そこで、Ｂ加入者は、当人が呼要求の連続セットアップを制御することを欲するかどうか決定することができる。Ｂ加入者が受話器を持ち上げるに連れて、信号ｓ７が移動体ＭＳ１から交換装置ＳＳＰへ送られ、交換装置は制御装置ＳＳＰへ報せる。サービスノード３０３内の制御装置は交換装置に上述の楽音信号を送るように命令し（第１図のステップ１０３及び１０４）、これがＢ加入者によって当人が受話器を持ち上げるとき受話器の中で聴取される（信号ｓ８）。交換装置は、また、Ｂ加入者がサービスを開始させることができる時間間隔を監視するように命令される。この時間間隔は、例えば、３秒の持続時間を持つことがある。もしＢ加入者が設定時間間隔内にサービスを開始させることに失敗するならば（第１図、ステップ１０５）、Ａ加入者とサービスノード内の交換装置ＳＳＰとの間の第１接続及び交換装置とＢ加入者との間の前記第２接続が統合され、それで以て従来の方法で呼接続を確立する。Ｂ加入者がサービスを開始するとき、信号ｓ９が交換装置ＳＳＰへ送られ、かつ制御装置が、例えば、第１図、ステップ１０８〜１１１に示されたように、サービス命令３０５内の制御情報に従って呼要求を拒否することになる。開始は、好適には、Ｂ加入者によって前記時間間隔内に移動体ＭＳ１のキーボード上のボタンの１つを押すことによって実施され、これで以て信号ｓ９を発生させる。
上述したように、Ｂ加入者による呼要求の拒否は、Ｂ加入者が呼要求を拒否することを選択したにもかかわらず、Ａ番号の記憶、Ａ加入者の再経路指定、呼接続の確立、接続の解放又は呼接続の確立を招くことがある（第１図、ステップ１０７、１１２、１１５、１１９又は１２１）。メモリ３０４が満たされているとき又はＡ番号がまだ転送されていないとき、Ａ加入者の再指向、又は呼接続セットアップの遅延、又は呼接続の解放が最も好適な代替である。呼要求を拒否することができる方法は、サービス命令３０５内の制御情報によって決定される。それゆえ、制御情報をいくつかの方法で実現することができる。１代替によれば、制御情報は、Ｂ加入者がサービスを開始させるとき、移動体ＭＳ１のキーパッド上の１つ以上のボタン又はキーを押すことによって、全ての必要な拒否情報をキー入力することをＢ加入者に要求する。他の代替によれば、サービスを開始させるために（どのボタンであろうと）１つのボタンだけを押せばよく、その場合、次いで、サービス命令３０５からの質問に応じていかに呼要求を拒否するかについての追加情報が、次いで、キー入力される。これらの質問は、制御装置ＳＣＰで制御される音声応答機械によって行われる。第３代替によれば、開始をボタンを押すことによって実施することができ、この結果、Ａ番号が記憶され、その場合拒否する他の方法が、メモリ３０４が満たされているとき又はＡ番号がまだ転送されていないときに限り、採用される。
Ｂ加入者がＡ番号を記憶させたいとき（第１図、ステップ１０７）、Ｂ加入者はこの旨に関する情報をキー入力しかつ信号ｓ９が移動体ＭＳ１から交換装置ＳＳＰへ送られ、交換装置は制御装置に報せる。制御装置は、メモリ３０４が利用可能な記憶空間を有すること及びＡ番号が転送されていることを検査する。もしこのような検査の結果が否定ならば、第１図、例えば、ステップ１１２〜１１４に従って、呼要求か再経路指定される。もしメモリが利用可能な記憶空間を有するならばかつＡ番号が転送されているならば、交換装置は、サービス命令３０５内にある音声応答メッセージを、前記第１接続を経由して、Ａ加入者へ送るように命令され、その場合Ａ加入者はＢ加入者が後に呼び出すことを報される（ステップ１０９）。次いで、交換装置は、Ａ番号をメモリ３０４に記憶するように命令される（ステップ１１０）。Ａ加入者への接続は、メッセージが再生された後、又はＡ加入者がその受話器を置いたときに解放される。Ｂ加入者への接続は、当人がＡ番号の記憶を開始させた後に解放される。
サービス命令３０５内の制御情報がＢ加入者に呼要求を他の加入者番号Ｃへ再経路指定させるとき、つまり第１図のステップ１１３〜１１４で、Ｂ加入者が再経路指定を命令し、かつ呼が加入者Ｃによって応答されると、制御装置ＳＣＰは第１接続の第２加入者番号への連続接続を命令することになる。呼要求を音声メールボックスへ再経路指定することもでき、Ａ加入者はメッセージをこの音声メールボックスに音声入力することができる。再経路指定が開始されるとき、Ｂ加入者への第２接続が解放される。
サービス命令３０５内の制御情報がＢ加入者に呼要求の取り扱いを遅延させるとき、つまり第１図のステップ１１６〜１１８で、Ｂ加入者が遅延を命令すると、制御装置ＳＣＰは交換装置ＳＳＰに音声応答メッセージをＡ加入者へ送らせるように命令し、その場合Ａ加入者はＢ加入者が間もなく呼要求に応答することを報される。次いで、交換装置は所定時間後Ｂ加入者又はサービスノードのどちらかによって発生されるコールバック信号を待機し、この信号は交換装置に第１接続と第２接続とを相互接続させ、それによって加入者Ａ１と加入者ＭＳ１との間に呼接続を確立させるように命令する。
サービス命令３０５内の制御情報がＢ加入者に呼要求を解放させるとき、つまり第１図のステップ１１９〜１２０で、制御装置ＳＣＰは、交換装置に、Ｂ加入者が呼解放を命令する瞬間にＢ加入者がＡ加入者の呼を受け付けできないことをＡ加入者に報せるメッセージを前記加入者に送るように命令することになる。次いで、Ａ加入者への接続が解放される。Ａ加入者の解放を開始した後、Ｂ加入者は解放される。
上掲の例示実施例においては、発呼加入者が公衆加入電話網ＰＳＴＮに接続された加入者Ａ１であると仮定している。しかしながら、本発明によれば、Ａ加入者は、また移動加入者Ａ２であってもよい。Ａ加入者Ａ２からの呼要求の場合、第１接続は、Ａ加入者Ａ２から、基地局ＢＳ２、基地局コントローラＢＳＣ２、及び移動交換センタＭＳＣ２を経由して、ゲートウェイ移動交換センタＧＭＳＣへ既知の方法で確立される。次いで、呼要求の連続取り扱いが上述した方法で実施される。
第４図は、Ａ番号がメモリ３０４に記憶されているときいかにＢ加入者が出中継呼を発生する（呼び出し機能）ためにサービスを使用することができるかを示す。また、以下にいかにＢ加入者がパラメータ値をセットアップする（セットアップ機能）又はサービスを活性化／不活性化する（活性化機能）かが説明される。Ｂ加入者はその端末ＭＳ１からサービスコード、すなわち、信号ｓ２１をキー入力することによってサービスを開始させ、このコードは移動サービス交換センタＭＳＣ１内で識別される、つまり第２図のステップ２０１。サービスコードのこの識別の結果、信号ｓ２１は、更に、サービスノード３０３内の交換装置ＳＳＰへ送られる。交換装置は、信号２１を受信しかつ制御装置ＳＣＰに命令を要請する。制御装置は、交換装置に、呼び出し機能、セットアップ機能、又は活性化機能のうちいずれを使用するかについてのサービス命令３０５内に記憶された質問、すなわち、信号ｓ２２をＢ加入者へ送るように命令する（ステップ２０２）。次いで、所望機能が、信号ｓ２３内のＢ加入者によってサービスノードへ送られた情報に従って遂行される。
Ｂ加入者が信号２３を通して呼び出し機能（ダイアルする機能）を選択するとき、つまり第２図のステップ２０３で、制御装置は番号がメモリ３０４に記憶されているか否かを検査する。もしその結果が否定ならば、制御装置は、交換装置に、番号がメモリに記憶されていない旨に関するメッセージをＢ加入者へ送るように命令し、その後制御装置がサービスを終端させる。番号がメモリに記憶されているとき、制御装置は、交換装置に、記憶された番号をＢ加入者に表示するメッセージ、すなわち、信号ｓ２４を送るように命令する（ステップ２０６）。この表示は音声応答機械を援用して実施されるが、もっともこのメッセージをまたＢ加入者の移動電話機が備えているディスプレイ上に表示することもできる。Ｂ加入者は、また、当人がこの番号に接続されること、この番号をメモリから消去すること、又はメモリに記憶された次の番号を見ることのうちいずれを欲するかについての情報をキー入力するように命令される。Ｂ加入者は情報、すなわち、信号ｓ２５をキー入力し、この信号はサービスノードへ送られかつ制御装置ＳＣＰによって解釈され、その場合、Ｂ加入者が前記番号と接続されることを選択すると呼接続がサービスノードから表示された番号へ確立される。次いで、サービスが終端される。もしＢ加入者が、信号ｓ２５に従って、この番号を消去することを選択するならば、この番号が交換装置によって制御装置の命令に基づいて消去される。もしこの番号をメモリから消去するべきでなければ、この番号がメモリ３０４内にリストされた順の最後に置かれる。次いで、Ｂ加入者は、信号ｓ２５内のＢ加入者によって供給された情報に従って、メモリ内の次の番号を表示されるか又はサービスが終端される。もし次の番号を表示させるのであれば、（ステップ２０４から）上述の手順が繰り返される。
Ｂ加入者がセットアップ機能を選択するとき、つまり第２図のステップ２１２で、制御装置ＳＣＰは、交換装置ＳＳＰに、Ｂ加入者がメモリ３０４に記憶することができるＡ番号の数を変化させたいかどうか、Ｂ加入者が再経路指定番号を変化させたいかどうか、又はＢ加入者が両パラメータを変化させたいかどうかＢ加入者に問い合わせるように命令する。Ｂ加入者によってサービスノードへ送られた情報に応じて、サービスノードは、メッセージを送り、このメッセージを通してＢ加入者は記憶することができるＡ番号の総数についての現行設定及び（又は）再経路指定番号について報され、かつこれらの新値を入力するように命令される。それらの新値又は設定がサービスノードに受信された後、サービスノードはＢ加入者へ前記新値の受信を確証するメッセージを送り、その後、サービスが終端される。
もしＢ加入者が活性化機能を選択するならば、つまり第２図のステップで、Ｂ加入者はサービス（ＮＮ）を活性化する又は不活性化する可能性を与えられる。制御装置ＳＣＰは交換装置にメッセージをＢ加入者へ送るように命令し、その場合Ｂ加入者はサービスの現行状態（活性又は不活性）について報される。このメッセージはまた、その状態を変化させるか否かについての質問を含む。制御装置の状態は、Ｂ加入者によって与えられる応答に応じて維持されるか又は変化させられ、その後、サービスが終端される。
第５図は、Ａ加入者からの呼要求をＢ加入者に接続するときの信号(signalling)を示す信号線図であり、この呼要求はＢ加入者によって拒否される。Ａ加入者からゲートウェイ移動交換センタＧＭＳＣのへの第１接続をセットアップすることを持たらす信号手順の部分は、既知の技術に従って行われ、したがって、この関係から詳細に説明しないことにする。次いで、信号ｓ１〜ｓ６が、第３図を参照して説明された方法で送られる。信号ｓ６は経路指定番号ＤＮＲに関連する情報を含み、その場合ゲートウェイ移動交換センタＧＭＳＣからＢ加入者への第２接続の連続確立のための信号が経路指定番号ＤＮＲに依存して既知の技術に従って実施される。Ｂ加入者が受話器を持ち上げるに連れて、信号ｓ７〜ｓ８が、第３図を参照して説明されたように送られる。交換装置ＳＳＰが信号ｓ９を受信すると、呼要求の連続取り扱い、すなわち、連続信号（continued signalling）がサービス命令３０５に含まれた制御情報に従って起こる。例えば、この信号は、メモリにＡ番号を記憶するための及びＡ加入者とＢ加入者を解放するための信号である。
もしメモリ３０４内で充分なメモリ空間が利用可能であり、及びもしＡ番号が転送されているならば、制御装置は、Ａ番号をメモリ３０４に記憶することになる。次いで、交換装置は、Ｂ加入者にその時刻に連絡することができないと云う及びＢ加入者が後にコールアップすると云う旨に関するメッセージをＡ加入者へ送るように命令される。次いで、制御装置は、使用された制御チャンネル上に確立された接続が既知の技術に従って解放されるのを保証する。
サービスノード３０３は、添付図面に分離ノードとして示されているが、云うまでもなく、ノードはまた移動無線網内の他のノード内に、例えば、ゲートウェイ移動交換センタＧＭＳＣ内に、又は移動交換センタＭＳＣ内に、又はホームロケーションレジスタＨＬＲ内に実現されてもよい。もしサービスノード移動無線網内の他のノード内に実現されるならば、第１接続及び第２接続の確立は、サービスノードがその中で実現されているノード内の内部信号を含むことになり、これとサービスノードが接続される。制御装置ＳＣＰ、交換装置ＳＳＰ、及び加入者サービス手段３０６は、また、単一装置の形に統合化されることがある。
移動体は、自動車上取り付け装置として添付図面に示されている。明らかに、本発明は、例えば、コードレス移動電話機、携帯移動電話機、及びポケット電話機のような、全ての型式の移動無線局に応用され得る。
添付図面は、基地局コントローラＢＳＣ１及びＢＳＣ２を基地局ＢＳ１及びＢＳ２から、それぞれ、分離されているとして示す。或るシステムでは、基地局コントローラと基地局は一体装置として実現される。もっともこれらの変化は本発明の加入者サービスの応用に実質的な影響を及ぼすことはない。
それゆえ、変形は以下の請求の範囲内で行うことができるので、本発明は上述したかつ図示したその例示実施例に限定されない。例えば、本発明の加入者サービスはいかなる特定の標準規格にも束縛されることはなく、したがって、例えば、ＮＭＴ、ＧＳＭ。ＡＭＰＳ、Ｄ−ＡＭＰＳ、及びＴＡＣＳのような標準規格に従うシステムに使用され得る。
【図１】
0003939344.tif 000002
0003939344.tif 000003
0003939344.tif 000004
【図２】
0003939344.tif 000005
0003939344.tif 000006
【図３】
0003939344.tif 000007
【図４】
0003939344.tif 000008
【図５】
0003939344.tif 000009